(57)【要約】【課題】  簡単かつ安価に管理対象者の出退管理を行えるようにする。【解決手段】  派遣社員が勤務する派遣先毎に、その派遣先を識別するための識別情報が書き込まれたＩＣタグを設置する。派遣社員は、そのＩＣタグの情報を読み込むことのできる機能を備えるとともに、自身のＩＤが登録された携帯電話を所持し、派遣先に出勤した際、或いは派遣先から退勤する際には、ＩＣタグの識別情報を携帯電話に読み込ませる。すると、その携帯電話から、読み込んだ識別情報と、識別情報を読み込んだ時刻情報と、ＩＤとが、サーバに送信される。そして、サーバにおいては、それらの情報に基づき、それらの情報が表す派遣社員の派遣先への出退情報が、出退情報ＤＢに書き込まれる。【選択図】  図１
2007048127.tif 000002
【特許請求の範囲】
【請求項１】
出退管理がされる管理対象者が出入りする管理対象施設毎に設置され、設置先の管理対象施設を識別するための施設識別情報が読み出し可能に記録された情報源と、
前記管理対象者毎に所持される機器であって、所持者である管理対象者を識別するための対象者識別情報を記憶する対象者記憶手段と、前記情報源に記録された前記施設識別情報を読み出すとともに、読み出した時刻を検出する読出手段と、該読出手段が前記情報源に記録された施設識別情報を読み出すと、その読み出した施設識別情報と、読み出した時刻を表す時刻情報と、前記対象者記憶手段に記憶された対象者識別情報とを、出退情報として、ネットワークを介して外部のコンピュータに送信する送信手段と、を備えている携帯通信機器と、
前記管理対象者毎に前記管理対象施設への出退履歴を記憶する出退履歴記憶手段と、前記携帯通信機器から送信される前記出退情報を受信する受信手段と、該受信手段が前記携帯通信機器から受信した出退情報に基づき、その受信した出退情報が表す管理対象者及び管理対象施設について、その管理対象者の管理対象施設への出退を検知し、該検知結果を、その管理対象者の管理対象施設への出退履歴として、前記出退履歴記憶手段に登録する登録手段と、を備えているコンピュータと、
からなる出退管理システム。
【請求項２】
請求項１に記載の出退管理システムにおいて、
前記携帯通信機器は、
前記対象者識別情報を入力するための入力手段と、
前記入力手段を介して入力された対象者識別情報を、前記対象者記憶手段に記憶させる更新手段と、
を備えていることを特徴とする出退管理システム。
【請求項３】
請求項１又は請求項２に記載の通信システムにおいて、
前記情報源は、ＩＣタグであることを特徴とする通信システム。
【請求項４】
請求項１又は請求項２に記載の通信システムにおいて、
前記情報源は、２次元コードであることを特徴とする通信システム。
【請求項５】
情報が記録された情報源と、該情報源に記録された情報を読み出す携帯通信機器と、該携帯通信機器からの情報を受信するコンピュータとからなり、
前記情報源は、出退管理がされる管理対象者が出入りする管理対象施設毎に設置されるとともに、設置先の管理対象施設を識別するための施設識別情報が記録され、前記コンピュータは、前記管理対象者毎に前記管理対象施設への出退履歴を記憶する出退履歴記憶手段と、前記携帯通信機器から送信される情報を受信する受信手段と、該受信手段が前記携帯通信機器から受信した情報に基づき、管理対象者の管理対象施設への出退を検知し、該検知結果をその管理対象者の管理対象施設への出退履歴として、前記出退履歴記憶手段に登録する登録手段と、を備えている出退管理システムにおける前記携帯通信機器であって、
当該携帯通信機器を所持する管理対象者を識別するための対象者識別情報を記憶する対象者記憶手段と、
前記情報源に記録された前記施設識別情報を読み出すとともに、読み出した時刻を検出する読出手段と、
前記読出手段が前記情報源に記録された施設識別情報を読み出すと、その読み出した施設識別情報と、読み出した時刻を表す時刻情報と、前記対象者記憶手段に記憶された対象者識別情報とを、ネットワークを介して前記コンピュータに送信する送信手段と、
を備えていることを特徴とする携帯通信機器。
【請求項６】
請求項５に記載の携帯通信機器において、
前記対象者識別情報を入力するための入力手段と、
前記入力手段を介して入力された対象者識別情報を、前記対象者記憶手段に記憶させる更新手段と、
を備えていることを特徴とする携帯通信機器。
【請求項７】
出退管理がされる管理対象者が出入りする管理対象施設を識別するための施設識別情報が記録された情報源からその施設識別情報を読み出すとともに、読み出した時刻を検出する読出手段と、前記管理対象者を識別するための対象者識別情報を記憶する対象者記憶手段と、情報を入力する入力手段と、コンピュータと、を有した携帯通信機器に用いられ、
前記コンピュータを、前記読出手段が前記情報源に記録された施設識別情報を読み出すと、その読み出した施設識別情報、読み出した時刻を表す時刻情報、及び前記対象者記憶手段に記憶された対象者識別情報を、ネットワークを介して外部の機器に送信する送信手段として機能させるための制御プログラム。
【請求項８】
請求項７に記載の制御プログラムにおいて、
前記コンピュータを、さらに、前記携帯通信機器の入力手段により入力された対象者識別情報を前記対象者記憶手段に記憶させる更新手段として機能させるための制御プログラム。
【請求項９】
出退管理がされる管理対象者が出入りする管理対象施設を識別するための施設識別情報が記録された情報源からその記録された施設識別情報を読み出すとともに、読み出した時刻を検出する読出手段と、前記管理対象者を識別するための対象者識別情報を記憶する対象者記憶手段と、前記施設識別情報、前記時刻を表す時刻情報、及び前記対象者識別情報を、出退情報として、外部の端末に送信する送信手段と、を備えている携帯通信機器にネットワークを介して通信可能に接続されるとともに、前記管理対象者毎に前記管理対象施設への出退履歴を記憶する出退履歴記憶手段を有するコンピュータに用いられ、
前記コンピュータを、
前記携帯通信機器から送信される前記出退情報を受信する受信手段、
前記受信手段が前記携帯通信機器から受信した出退情報に基づき、その受信した出退情報が表す管理対象者及び管理対象施設について、その管理対象者の管理対象施設への出退を検知し、該検知結果を、その管理対象者の管理対象施設への出退履歴として、前記出退履歴記憶手段に登録する登録手段、
として機能させるための制御プログラム。
【発明の詳細な説明】
【技術分野】
【０００１】
本発明は、塾、学校、会社等の各種施設に通う関係者（生徒、教師、社員等）の出退状況を管理する出退管理システム、携帯通信機器及びプログラムに関する。
【背景技術】
【０００２】
従来より、塾、学校、或いは会社等において、それらの施設に通う関係者（生徒、教師、社員等）の登下校、或いは出退勤の状況を記録して管理することが行われている。そして近年では、例えば社員においてはその勤務場所は多様化しており、社員は、その社員が属する会社のみならず取引先や出向先で勤務することもある。また、特に、社員の中でも派遣社員の場合には、この傾向が顕著である。
【０００３】
そこで、社員がどのような場所で勤務する場合においても、その社員の勤怠情報を収集して出退管理を行うことができる出退管理システムが提案されている（例えば、特許文献１参照）。
【０００４】
この特許文献１に記載の出退管理システムにおいては、社員は、勤務場所に設置されるとともにネットワークに接続された端末装置を利用し、勤務場所から勤怠情報を外部のコンピュータに送信できるようになっている。
【０００５】
すなわち、社員は、自身に対応するＩＤが記憶されたＩＣタグを所持しており、勤務先には、ＩＣカードの情報を読み込むことができるカードリーダが設けられた端末装置が設置されている。そして、社員がＩＣカードを端末装置に設けられたカードリーダにかざすと、そのＩＣカードに記憶されたＩＤが読み込まれるとともに、少なくとも、そのＩＤと、ＩＤが読み込まれた時刻と、ＩＤが読み込まれた場所（勤務場所）を表す情報とが、勤怠情報として外部のコンピュータに送信される。なお、社員は、ＩＣカードを用いなくても、端末装置を直接操作することで前述したような情報をコンピュータに送信することができる。
【特許文献１】特開２００２−２４８９０号公報
【発明の開示】
【発明が解決しようとする課題】
【０００６】
しかしながら、上述したような従来の出退管理システムでは、端末装置を勤務場所毎に設置する必要がある。
そして、勤務場所が自社内であれば、端末装置は自由に設置することができるが、例えば社員の出向先、或いは派遣社員の派遣先等の外部の勤務先においては、端末装置を自由に設置することは難しい。なぜなら、その勤務先において、端末装置の設置箇所を確保してもらわなければならないし、端末装置は電力を消費するため、電気を使用することをその相手方に了承してもらわなければならないからである。また、場合によっては、端末装置をその勤務先において構築されているネットワークに接続させる必要があるからである。
【０００７】
また、端末装置を設置できるとしても、端末装置は勤務先毎に必要であるため、勤務先が多数あるような場合にはシステムが高額になってしまうという問題がある。
本発明は、こうした問題に鑑みなされたもので、簡単かつ安価に利用できる出退管理システムを提供することを目的としている。
【課題を解決するための手段】
【０００８】
かかる問題を解決するためになされた請求項１に記載の発明は、
出退管理がされる管理対象者が出入りする管理対象施設毎に設置され、設置先の管理対象施設を識別するための施設識別情報が読み出し可能に記録された情報源と、
前記管理対象者毎に所持される機器であって、所持者である管理対象者を識別するための対象者識別情報を記憶する対象者記憶手段と、前記情報源に記録された前記施設識別情報を読み出すとともに、読み出した時刻を検出する読出手段と、該読出手段が前記情報源に記録された施設識別情報を読み出すと、その読み出した施設識別情報と、読み出した時刻を表す時刻情報と、前記対象者記憶手段に記憶された対象者識別情報とを、出退情報として、ネットワークを介して外部のコンピュータに送信する送信手段と、を備えている携帯通信機器と、
前記管理対象者毎に前記管理対象施設への出退履歴を記憶する出退履歴記憶手段と、前記携帯通信機器から送信される前記出退情報を受信する受信手段と、該受信手段が前記携帯通信機器から受信した出退情報に基づき、その受信した出退情報が表す管理対象者及び管理対象施設について、その管理対象者の管理対象施設への出退を検知し、該検知結果を、その管理対象者の管理対象施設への出退履歴として、前記出退履歴記憶手段に登録する登録手段と、を備えているコンピュータと、
からなる出退管理システムを特徴としている。
【０００９】
この請求項１に記載の出退管理システムにおいては、出退管理をする管理対象者が出入りする管理対象施設には、その管理対象施設を識別するための施設識別情報が読み出し可能に記録された情報源が設置される。そして、管理対象者は、情報源に記録された施設識別情報を読み出すことのできるとともに、管理対象者を識別するための対象者識別情報が予め記憶された携帯通信機器を所持する。
【００１０】
そして、管理対象者が管理対象施設に入る際、或いは管理対象施設から出る際に、その管理対象者が所持する携帯通信機器により、管理対象施設に設置された情報源に記録された施設識別情報が読み出されると、その読み出された施設識別情報と、読み出された時刻を表す時刻情報と、対象者識別情報とが、出退情報として、ネットワークを介して外部のコンピュータに送信される。
【００１１】
外部のコンピュータは、携帯通信機器から受信した出退情報に基づき、その出退情報が表す管理対象者及び管理対象施設について、管理対象者がその管理施設に入ったこと、或いは管理対象施設から出たことや、入った時刻或いは出た時刻等の出退状況を検知するとともに、その検知結果を、その管理対象者の出退履歴として、出退履歴を記憶する出退履歴記憶手段に記憶させる。
【００１２】
このような請求項１に記載の出退管理システムによれば、管理対象施設毎に情報源を設置し、管理対象者がその情報源の情報を読み出すことのできる携帯通信機器を所持すればよい。すなわち、情報源の設置は容易であり、どのような管理対象施設においても簡単に設置することができるので、簡単に出退管理システムを構築することができる。
【００１３】
また、情報源は簡単な構造でよく、安価に利用できるので、特に管理対象施設が多い場合には、システム全体のコストも抑えることができる。
そして、この請求項１に記載の出退管理システムにおいては、請求項２に記載のように、携帯通信機器は、対象者識別情報を入力するための入力手段と、この入力手段を介して入力された対象者識別情報を、対象者記憶手段に記憶させる更新手段と、を備えていることが好ましい。
【００１４】
この請求項２に記載の出退管理システムによれば、携帯通信機器の対象者記憶手段に、対象者識別情報を更新して記憶させることができるので、異なる管理対象者間で同一の携帯通信機器を使い回すことができる。よって、システム全体のコストを抑えることができる。
【００１５】
そして、請求項１又は請求項２に記載の通信システムにおいては、請求項３に記載のように、情報源はＩＣタグであることが好ましい。そしてこの場合に、携帯通信機器の読出手段は、ＩＣタグに記録された施設識別情報を、無線にて読み出すように構成することが考えられる。
【００１６】
また、請求項４に記載のように、情報源は２次元コードであることが好ましい。そしてこの場合には、携帯通信機器の読出手段は、その２次元コードが表す施設識別情報を読み出すように構成することが考えられる。
【００１７】
ＩＣタグや２次元コードは非常に安価に利用できるため、上記のような構成によれば、システム全体のコストを抑えることができる。
また、近年では、ＩＣタグの情報を無線にて読み出したり、或いは２次元コードの情報を読み出すことのできる機器が普及しており、上記のような構成によれば、そのような機器を携帯通信機器として用いることができるので、簡単かつ低コストに出退管理システムを構築することができる。
【００１８】
また、請求項５に記載の発明は、
情報が記録された情報源と、該情報源に記録された情報を読み出す携帯通信機器と、該携帯通信機器からの情報を受信するコンピュータとからなり、
前記情報源は、出退管理がされる管理対象者が出入りする管理対象施設毎に設置されるとともに、設置先の管理対象施設を識別するための施設識別情報が記録され、前記コンピュータは、前記管理対象者毎に前記管理対象施設への出退履歴を記憶する出退履歴記憶手段と、前記携帯通信機器から送信される情報を受信する受信手段と、該受信手段が前記携帯通信機器から受信した情報に基づき、管理対象者の管理対象施設への出退を検知し、該検知結果をその管理対象者の管理対象施設への出退履歴として、前記出退履歴記憶手段に登録する登録手段と、を備えている出退管理システムにおける前記携帯通信機器であって、
当該携帯通信機器を所持する管理対象者を識別するための対象者識別情報を記憶する対象者記憶手段と、
前記情報源に記録された前記施設識別情報を読み出すとともに、読み出した時刻を検出する読出手段と、
前記読出手段が前記情報源に記録された施設識別情報を読み出すと、その読み出した施設識別情報と、読み出した時刻を表す時刻情報と、前記対象者記憶手段に記憶された対象者識別情報とを、ネットワークを介して前記コンピュータに送信する送信手段と、
を備えていることを特徴とする携帯通信機器である。
【００１９】
この請求項５に記載の携帯通信機器を用いれば、上述した出退管理システムを実現し得ることができ、ひいては上述したような効果を得ることができる。
また、請求項５に記載の携帯通信機器においては、請求項６に記載のように、対象者識別情報を入力するための入力手段と、この入力手段を介して入力された対象者識別情報を、対象者記憶手段に記憶させる更新手段と、を備えていることが好ましい。
【００２０】
この請求項６に記載の携帯通信機器によれば、携帯通信機器の対象者記憶手段に、対象者識別情報を更新して記憶させることができるので、異なる管理対象者間で同一の携帯通信機器を使い回すことができる。よって、この携帯通信機器が使用されるシステムにおいて、そのシステム全体のコストを抑えることができる
また、請求項７に記載の発明は、
出退管理がされる管理対象者が出入りする管理対象施設を識別するための施設識別情報が記録された情報源からその施設識別情報を読み出すとともに、読み出した時刻を検出する読出手段と、前記管理対象者を識別するための対象者識別情報を記憶する対象者記憶手段と、情報を入力する入力手段と、コンピュータと、を有した携帯通信機器に用いられ、
前記コンピュータを、前記読出手段が前記情報源に記録された施設識別情報を読み出すと、その読み出した施設識別情報、読み出した時刻を表す時刻情報、及び前記対象者記憶手段に記憶された対象者識別情報を、ネットワークを介して外部の機器に送信する送信手段として機能させるための制御プログラムである。
。
【００２１】
また、請求項８に記載の発明は、請求項７に記載の制御プログラムにおいて、コンピュータを、さらに、携帯通信機器の入力手段により入力された対象者識別情報を、記憶手段に記憶させる更新手段として機能させることを特徴としている。
【００２２】
この制御プログラムを用いれば、上述した携帯通信機器を実現することができ、ひいては上述したような効果を得ることができる。
また、請求項９に記載の発明は、
出退管理がされる管理対象者が出入りする管理対象施設を識別するための施設識別情報が記録された情報源からその記録された施設識別情報を読み出すとともに、読み出した時刻を検出する読出手段と、前記管理対象者を識別するための対象者識別情報を記憶する対象者記憶手段と、前記施設識別情報、前記時刻を表す時刻情報、及び前記対象者識別情報を、出退情報として、外部の端末に送信する送信手段と、を備えている携帯通信機器にネットワークを介して通信可能に接続されるとともに、前記管理対象者毎に前記管理対象施設への出退履歴を記憶する出退履歴記憶手段を有するコンピュータに用いられ、
前記コンピュータを、
前記携帯通信機器から送信される前記出退情報を受信する受信手段、
前記受信手段が前記携帯通信機器から受信した出退情報に基づき、その受信した出退情報が表す管理対象者及び管理対象施設について、その管理対象者の管理対象施設への出退を検知し、該検知結果を、その管理対象者の管理対象施設への出退履歴として、前記出退履歴記憶手段に登録する登録手段、
として機能させるための制御プログラムである。
【００２３】
この請求項９に記載の制御プログラムを用いれば、上述した出退管理システムに用いられるコンピュータを実現することができ、ひいては上述したような効果を得ることができる。
【発明を実施するための最良の形態】
【００２４】
以下に、本発明の一実施形態を図面に基づき説明する。
図１は、本実施形態の出退管理システムの構成図である。なお、本実施形態においては、派遣社員８０について、派遣先９０への出退管理が行われる場合について説明する。
【００２５】
図１に示すように、管理対象者である派遣社員８０が派遣される派遣先９０には、派遣先９０を識別するための識別情報が書き込まれたＩＣタグ２が設置されている。そして、派遣社員８０がそれぞれ所持している携帯電話１には、ＩＣタグ２に書き込まれた情報を非接触にて読み取る機能（読取部１２）が設けられており、携帯電話１がＩＣタグ２に近づけられると、ＩＣタグ２に書き込まれた情報が携帯電話１に読み込まれるようになっている。
【００２６】
また、携帯電話１は、インターネット６０を介して外部の機器と通信が可能なように構成されている。また、派遣社員８０の派遣先９０への出退状況や出退履歴等を記録して管理するサーバ３が、インターネット６０に接続されている。すなわち、携帯電話１とサーバ３とは、インターネット６０を介して通信ができるようになっている。以下、携帯電話１及びサーバ３の構成について説明する。
【００２７】
まず、携帯電話１は、携帯電話１の各部を統括制御する制御部１０と、ＩＣタグ２に書き込まれた情報を非接触で読み取る読取部１２と、情報を記憶する記憶部１４と、インターネット６０等のネットワークとこの携帯電話１とを接続するための通信部１６と、情報を入力するための入力部１８と、情報を表示するための表示部２０と、を備えているとともに、それらがバス２８を介して相互に接続されている。
【００２８】
また、サーバ３は、このサーバ３にて行うべき各種処理を実行するＣＰＵ３０と、このサーバ３の起動時にＣＰＵ３０が行う起動処理のプログラム（ＢＩＯＳ）等を記憶したＲＯＭ３２と、ＣＰＵ３０が各種処理を行う際に記憶領域として用いるＲＡＭ３４と、オペレーティングシステムや、ＣＰＵ３０が行うべき各種処理のプログラムなどを記憶するとともに、個人情報データベース（以下、個人情報ＤＢ）４５、出退情報データベース（以下、出退情報ＤＢ）４６及び派遣先情報データベース（以下、派遣先情報ＤＢ）４７を有するハードディスクドライブ（以下、ＨＤＤ）３６と、インターネット６０等のネットワークとこのサーバ３とを接続するための通信部３８と、情報を入力するための入力部４０と、情報を表示するための表示部４２と、を備えているとともに、それらがバス５０を介して相互に接続されている。なお、各ＤＢ４５、４６、４７の構成については後述する。
【００２９】
また、本実施形態においては、パーソナルコンピュータ（ＰＣ）５、携帯情報端末（ＰＤＡ）６、及び簡易携帯電話（ＰＨＳ）７もインターネット６０に接続することが可能なように構成されており、これらの機器からインターネット６０を介してサーバ３にアクセスし、派遣社員８０の出退状況を表す情報を閲覧できるようになっている。
【００３０】
次に、図２は、個人情報ＤＢ４５、出退情報ＤＢ４６、及び派遣先情報ＤＢ４７にそれぞれ登録される社員の個人情報、出退情報、或いは派遣先情報を表している。なお、個人情報にはそれぞれ登録番号が付与されており、派遣先情報にはそれぞれ管理番号が付与されている。
【００３１】
図２（ａ）に示すように、派遣社員８０の個人情報は、その派遣社員８０を識別するために派遣社員８０一人一人に割り当てられた識別情報（ＩＤ）、派遣社員８０の名前、所属する部署、及び連絡先（メールアドレス、携帯電話番号）等から構成されており、その登録番号順に、個人情報ＤＢ４５に登録されている。
【００３２】
また、図２（ｃ）に示すように、派遣先情報は、派遣先９０を識別するために派遣先９０毎に割り当てられた識別番号、派遣先９０の会社名、住所、及び連絡先（代表者等のメールアドレス、電話番号）等から構成されており、その管理番号順に、派遣先情報ＤＢ４７に登録されている。なお、ＩＣタグ２に書き込まれる識別情報は、前述した識別番号を表す情報である。
【００３３】
そして、図２（ｂ）に示すように、出退情報は、携帯電話１がＩＣタグ２の識別情報を読み取った際のその読み取り状態に応じて更新される派遣社員８０の最新の出退状態を表す出退フラグ、及び派遣社員８０の過去の出退状況を表す出退履歴等から構成され、それらが管理番号毎に登録されるとともに、さらにその管理番号が登録番号毎に登録されている。
【００３４】
以下、携帯電話１及びサーバ３において実行される各種処理のうち、本発明に係る処理について詳述する。
まず、図３は、携帯電話１において実行されるＩＤ登録処理の流れを表すフローチャートである。
【００３５】
このＩＤ登録処理は、携帯電話１を所持する派遣社員８０のＩＤを、携帯電話１の記憶部１４に記憶させる（言い換えると、携帯電話１に登録する）ための処理であり、まずＳ１１０にて、使用者の入力に基づき、出退管理アプリケーションを起動させる。この出退管理アプリケーションは、本出退管理システムに係る複数の処理を携帯電話１に実行させるためのものであり、予め携帯電話１にインストールされている。そして、ここでは、この出退管理アプリケーションに基づく複数の処理のうち、Ｓ１２０〜１５０の処理を実行する。
【００３６】
Ｓ１２０では、派遣社員８０の入力に基づき、ＩＤを派遣社員８０に入力させるためのＩＤ入力画面を表示部２０に表示させ、次にＳ１３０へ移行する。
Ｓ１３０では、派遣社員８０よりＩＤが入力されたか否かを判定し、入力されていないと判定すると、次にＳ１６０へ移行する。
【００３７】
一方、Ｓ１３０でＩＤが入力されたと判定すると、次にＳ１４０へ移行する。
Ｓ１４０では、派遣社員８０により入力されたＩＤを記憶部１４に記憶させるか否か（言い換えると、入力されたＩＤを登録するか否か）を、派遣社員８０の入力に基づき判定する。記憶させないと判定すると、次にＳ１６０へ移行する。
【００３８】
一方、Ｓ１４０で記憶させると判定すると、次にＳ１５０にて、入力されたＩＤを記憶部１４に記憶させ、次にＳ１６０へ移行する。なお、記憶部１４にもともとＩＤが記憶されている場合には、新たに入力されたＩＤを更新記憶させることになる。
【００３９】
Ｓ１６０では、派遣社員８０の入力に基づき、出退管理アプリケーションを終了させるか否かを判定し、終了しないと判定すると、再びＳ１３０へ戻る。
一方、Ｓ１６０で出退管理アプリケーションを終了させると判定すると、次にＳ１７０へ移行し、出退管理アプリケーションを終了させた後、当該処理を終了する。
【００４０】
次に、図４は、携帯電話１において実行される識別情報検出処理の流れを表すフローチャートである。
ところで、携帯電話１においては、所定の操作ボタン（図示せず）が押されることにより、特定の電波が周囲に送信されるようになっており、派遣先９０に設置されるＩＣタグ２は、携帯電話１からのその電波により起電した電力を利用し、所定の情報を周囲に出力（送信）するようになっている。
【００４１】
そして、この識別情報検出処理においては、まずＳ２１０にて、ＩＣタグ２から送信される情報であって、そのＩＣタグ２が設置されている派遣先９０を識別するための識別情報を受信したか否かを判定する。なお、前述したように、この識別情報は、派遣先９０毎に割り当てられている識別番号（図２（ｃ）参照）を表す情報である。ここで、識別情報を受信していないと判定すると、再びこのＳ２１０の処理を繰り返す。
【００４２】
一方、Ｓ２１０にて識別情報を受信したと判定すると、次にＳ２２０へ移行し、前述した出退管理アプリケーションを起動させる。そして、ここでは、出退管理アプリケーションに基づく複数の処理のうち、後述するＳ２３０の処理を実行する。Ｓ２３０の処理は、ＩＣタグ２から受信した識別情報等をサーバ３に送信する送信処理である。
【００４３】
そしてその後、Ｓ２３０からＳ２４０へ進み、出退管理アプリケーションを終了させた後、当該処理を終了する。
次に、図５は、図３のＳ２３０で実行される送信処理の流れを表すフローチャートである。
【００４４】
この送信処理においては、まず、Ｓ３１０にて、図３のＳ２１０にて受信したと判定した識別情報について、その識別情報、及び識別情報を受信した時刻を表す時刻情報を記憶部１４に記憶させる。
【００４５】
そして、続くＳ３２０の処理にて、この携帯電話１をインターネット６０に接続し、次にＳ３３０へ移行する。
Ｓ３３０では、サーバ３に対して、通信を要求する通信要求信号を送信する。すると、サーバ３は、後述する図６のＳ５２０の処理で、通信が可能か否かを判定し、通信が可能であれば、通信の要求を受け付けたことを表す受付信号を送信する。一方、通信が可能でなければ、通信の要求を拒否する拒否信号を送信する。
【００４６】
そして、続くＳ３４０では、サーバ３から送信された受付信号或いは拒否信号に基づいて、サーバ３との通信が可能か否かを判定する。すなわち、受付信号を受信したと判断すると、通信が可能と判定し、拒否信号を受信したと判断すると、通信が可能でないと判定する。
【００４７】
そして、Ｓ３４０で通信が可能であると判定すると、次にＳ３５０へ移行する。
Ｓ３５０では、Ｓ３１０で記憶部１４に記憶させた識別情報、時刻情報、及びＳ１５０で記憶部１４に記憶させた派遣社員８０（言い換えると、携帯電話１の所持者）のＩＤ（以下、これら３つの情報を合わせて出退検知情報と言う）をサーバ３に送信する。すると、サーバ３は、後述する図６のＳ５４０の処理で、出退検知情報を正常に受信したか否かを判定し、正常に受信したと判定すると、その旨を表す正常受信信号を送信する。一方、正常に受信していないと判定すると、その旨を表す異常受信信号を送信する。
【００４８】
そして、続くＳ３６０では、サーバ３から送信された正常受信信号或いは異常受信信号に基づいて、サーバ３において出退検知情報が正常に受信されたか否かを判定する。すなわち、正常受信信号を受信したと判断すると、サーバ３において出退検知情報が正常に受信されたと判定し、異常受信信号を受信したと判断すると、サーバ３において出退検知情報が正常に受信されていないと判定する。
【００４９】
Ｓ３６０で、サーバ３において出退検知情報が正常に受信されたと判定すると、次にＳ３７０へ移行し、その旨を表す情報を表示部２０に表示させる。そしてその後、当該処理を終了する。
【００５０】
また、Ｓ３４０にて、通信が可能でないと判定すると、次にＳ３４５へ移行し、派遣社員８０の入力に基づき、通信の再要求をするか否か、言い換えると、通信要求信号を再送信するか否かを判定する。そして、再要求すると判定すると、再びＳ３３０へ戻る。逆に、再要求しないと判定すると、次にＳ３８０へ移行する。
【００５１】
Ｓ３８０では、サーバ３との通信が可能でないことを表す通信エラー情報を、表示部２０に表示させる。そしてその後、当該処理を終了する。
また、Ｓ３６０にて、サーバ３において出退検知情報が正常に受信されていないと判定すると、次にＳ３６５へ移行し、派遣社員８０の入力に基づき、出退検知情報を再送信するか否かを判定する。再送信すると判定すると、再びＳ３５０へ戻る。逆に、再送信しないと判定すると、次にＳ３８０へ移行する。
【００５２】
Ｓ３６５から移行したＳ３８０では、サーバ３において出退検知情報が正常に受信されていないことを表す送信エラー情報を、表示部２０に表示させる。そしてその後、当該処理を終了する。
【００５３】
なお、Ｓ３８０を経て処理を終了した場合、つまり、出退検知情報が正常に送受信されずに処理を終了した場合に、出退検知情報が正常に送受信されるようにするためには、派遣社員８０は、携帯電話１に再びＩＣタグ２に書き込まれた識別情報を読み込ませる必要がある。
【００５４】
次に、図６は、サーバ３にて実行される出退情報管理処理の流れを表すフローチャートである。
サーバ３は、携帯電話１から送信される各種信号を監視しており、この出退情報管理処理においては、まずＳ５１０にて、携帯電話１からＳ３３０の処理にて送信される通信要求信号を受信したか否かを判定する。受信していないと判定すると、再びこのＳ５１０の判定処理を繰り返す。
【００５５】
一方、Ｓ５１０で通信要求信号を受信したと判定すると、次にＳ５２０へ移行し、携帯電話１と通信が可能か否かを判定する。なお、通信が可能か否かを判定する際には、例えば、サーバ３と携帯電話１との通信経路が確立されているか否かの判断、或いは所定の通信プロトコルにそれぞれが対応しているか否かの判断が行われる。そして、それらの各判断に基づき、通信が可能か否かが判定される。すなわち、前述した例では、通信経路が確立されていると肯定判断され、かつ所定のプロトコルにそれぞれが対応していると肯定判断されると、通信が可能であると判定する。逆に一つでも否定判断されると、通信が可能でないと判定する。
【００５６】
Ｓ５２０で通信が可能であると判定すると、次にＳ５３０へ移行し、通信の要求を受け付けたことを表す受付信号を、携帯電話１に送信する。そして、次にＳ５４０へ移行する。
【００５７】
一方、Ｓ５２０で通信が可能でないと判定すると、次にＳ５７０へ移行し、通信の要求を拒否することを表す拒否信号を携帯電話１に送信する。そしてその後、当該処理を終了する。
【００５８】
Ｓ５４０では、図５のＳ３５０で携帯電話１より送信される出退検知情報を正常に受信したか否かを判定し、正常に受信したと判定すると、次にＳ５５０へ移行する。
Ｓ５５０では、出退検知情報を正常に受信したことを表す正常受信信号を、携帯電話１に送信し、次にＳ５６０へ移行する。
【００５９】
一方、Ｓ５４０で出退検知情報を正常に受信していないと判定すると、次にＳ５８０へ移行し、出退検知情報を正常に受信していないことを表す異常受信信号を携帯電話１に送信し、当該処理を終了する。
【００６０】
Ｓ５６０では、受信した出退検知情報に基づいて、出退情報ＤＢ４６の出退フラグ及び出退履歴（図２（ｂ）参照）を更新し、その後当該処理を終了する。
なお、この更新は、出退フラグが派遣社員８０の退勤状態を表すリセット状態であれば、派遣社員８０が出勤してきたと判断して、その出退フラグをセットすると共に、出退履歴として出勤時刻を追加し、逆に、出退フラグが派遣社員８０の出勤状態を表すセット状態であれば、派遣社員８０が退勤したと判断して、その出退フラグをリセットすると共に、出退履歴として退勤時間を追加する。
【００６１】
次に、本出退管理システムの作用について説明する。
派遣社員８０は、出勤した際、或いは退勤する際には、携帯電話１をＩＣタグ２に近づけるようにする。すると、ＩＣタグ２に書き込まれている識別情報が携帯電話１に読み込まれるとともに（Ｓ２１０：ＹＥＳ）、出退管理アプリケーションが立ち上がり（Ｓ２２０）、読み込まれた識別情報、及び読み込まれた時刻（つまり、出勤時刻或いは退勤時間）を表す時刻情報が、携帯電話１の記憶部１４に記憶される（Ｓ３１０）。
【００６２】
そしてその後、携帯電話１はサーバ３に対して通信を要求し（Ｓ３３０）、通信が可能であれば（Ｓ５２０：ＹＥＳ，Ｓ３４０：ＹＥＳ）、記憶部１４に記憶された識別情報及び時刻情報に加え、記憶部１４の別の領域に記憶された派遣社員８０のＩＤが、出退検知情報として、携帯電話１からサーバ３に送信される（Ｓ３５０）。
【００６３】
サーバ３では、携帯電話１からの出退検知情報を正常に受信すると（Ｓ５４０：ＹＥＳ）、その受信した出退検知情報に基づき、その出退検知情報が表す派遣社員８０及び派遣先９０について、その派遣社員８０の派遣先９０への出退情報（出退フラグ及び出退履歴）が更新される（Ｓ５６０）。
【００６４】
このようにして、派遣先９０毎に設置されたＩＣタグ２の識別情報が派遣社員８０が所持する携帯電話１に読み込まれることで、派遣社員８０の出退情報がサーバ３にて更新される。そして、派遣社員８０の出退履歴が記録されるようになる。よって、上司等は、サーバ３を操作したり、或いはＰＣ５、ＰＤＡ６、若しくはＰＨＳ７からサーバ３にアクセスしたりすることにより簡単に派遣社員８０の出退情報を取得し、その出退状況を把握（管理）できるのである。
【００６５】
なお、本実施形態においては、ＩＣタグ２が情報源に相当し、携帯電話１が携帯通信機器に相当し、サーバ３がコンピュータに相当している。また、Ｓ２１０の処理が読出手段に相当し、Ｓ３５０の処理が送信手段に相当し、ＨＤＤ１６が出退履歴記憶手段に相当し、Ｓ５４０の処理が受信手段に相当し、Ｓ５６０の処理が登録手段に相当し、Ｓ１５０の処理が更新手段に相当している。
【００６６】
以上説明したように、本実施形態においては、派遣社員の派遣先に、その派遣先を識別するための識別情報が記憶されたＩＣタグが設置され、そのＩＣタグに書き込まれた識別情報が、派遣社員がその派遣先に出勤した際、或いは退勤する際に、派遣社員がそれぞれ所持する携帯電話に読み込まれる。なお、この時、読み込まれた時刻も検出され、携帯電話に記憶される。また、携帯電話には、その携帯電話の所持者である派遣社員を識別するためのＩＤも予め記憶されている。そして、ＩＣタグの識別情報が携帯電話に読み込まれると、その識別情報と、読み込んだ時刻を表す時刻情報と、携帯電話の所持者のＩＤとが、出退検知情報として、携帯電話からサーバに送信される。そして、サーバ３において、その出退検知情報が表す派遣社員及び派遣先について、その派遣社員の派遣先への出退履歴（出退情報）が記憶される。
【００６７】
このような本実施形態の出退管理システムによれば、ＩＣタグを派遣先に設置することは容易であることから、簡単に本出退管理システムを構築することができる。
また、派遣先が多数ある場合でも、ＩＣタグは安価であり、派遣先にはそのＩＣタグを設置するのみで良いので、出退管理システム全体のコストを抑えることができる。
【００６８】
さらに、ＩＣタグの情報を読み取ることのできる携帯機器を用いれば、本実施形態における携帯電話を新たに導入する必要がなく、コストを抑えることができる。
また、本実施形態の出退管理システムにおいては、派遣社員のＩＤを予め携帯電話に登録することができ、また、新たに入力したＩＤを更新記憶させることができる。よって、複数の派遣社員間で同じ携帯電話を使い回すことができ、携帯電話を有効利用できるとともに、コストも抑えることができる。
【００６９】
以上、本発明の一実施形態について説明したが、本発明は、上記実施形態に限定されるものではなく、本発明の技術範囲内において、種々の形態をとることができる。
例えば、上記実施形態では、携帯通信機器として携帯電話が用いられているが、ＰＨＳやＰＤＡ等、本実施形態の携帯電話と同様の機能が備えられていれば、どのようなものを用いても良い。
【００７０】
また、上記実施形態においては、ＩＣタグに勤務先の識別情報が記録されているが、施設識別情報を読み出し可能に記録する情報源としては、ＩＣタグのかわりに、バーコードやＱＲコード（登録商標）等の２次元コードが用いられても良い。そして、この場合に、読取手段としては、バーコードを読み取るバーコードリーダ、或いはＱＲコードを読み取るカメラを用いればよい。
【００７１】
また、派遣社員の出退管理に限らず、塾や学校における生徒や教師の出退管理、或いは各種イベントにおける入場者の出退管理など、どのような場合においても本実施形態の出退管理システムを適用させることができる。
【００７２】
また、上記実施形態においては、携帯電話においてＩＣタグの識別情報が読み込まれると、出退管理アプリケーションが立ち上がり、各種情報が自動でサーバに送信されるようになっているが、それらの情報が、派遣社員の入力に基づいて送信されるようにしても良い。このようにすると、誤って何度も同じ情報がサーバに送信されることを防止することができる。
【００７３】
また、上記実施形態においては、携帯電話に新たにＩＤが登録される際には、その新たなＩＤが更新記憶されるようになっているが、複数のＩＤを登録できるようにし、その複数のＩＤの中から、サーバに送信されるＩＤが自動或いは手動で選択されるようにしても良い。このようにすると、携帯電話の所持者がかわるたびに、わざわざＩＤを登録し直す必要がなくなり、所持者にとって使いやすいものとなる。
【００７４】
また、上記実施形態においては、携帯電話がＩＣタグの識別情報を読み取ると、その読み取った識別情報とともに、携帯電話に登録された派遣社員のＩＤがサーバに送信されるようになっているが、対象者識別情報としては、ＩＤの代わりに、派遣社員の指紋や虹彩等の生体情報が用いられるようにしてもよい。また、前述したような生体情報を用いて認証を行い、認証がされた場合にＩＤが送信されるような構成でも良い。このようにすると、他人のＩＤを利用する等の不正を確実に防止することができる。
【図面の簡単な説明】
【００７５】
【図１】出退管理システムの構成図である。
【図２】各データベースに記憶される情報を表す説明図である。
【図３】携帯電話において実行されるＩＤ登録処理の流れを表すフローチャートである。
【図４】携帯電話において実行される識別情報検出処理の流れを表すフローチャートである。
【図５】携帯電話において実行される送信処理の流れを表すフローチャートである。
【図６】サーバにおいて実行される出退情報管理処理の流れを表すフローチャートである。
【符号の説明】
【００７６】
１…携帯電話、２…ＩＣタグ、３…サーバ、３…携帯電話、５…パーソナルコンピュータ（ＰＣ）、６…携帯情報端末（ＰＤＡ）、７…簡易携帯電話（ＰＨＳ）、１０…制御部、１２…読取部、１４…記憶部、１６…通信部、１８…入力部、２０…表示部、２８…バス、３０…ＣＰＵ、３２…ＲＯＭ、３４…ＲＡＭ、３６…ハードディスクドライブ（ＨＤＤ）、３８…通信部、４０…入力部、４２…表示部、４５…個人情報データベース（ＤＢ）、４６…出退情報データベース（ＤＢ）、４７…派遣先情報データベース（ＤＢ）、５０…バス、６０…インターネット、８０…派遣社員、９０…派遣先。
【図１】
2007048127.tif 000003
【図２】
2007048127.tif 000004
【図３】
2007048127.tif 000005
【図４】
2007048127.tif 000006
【図５】
2007048127.tif 000007
【図６】
2007048127.tif 000008